【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
コンピュータシステムにおいて、ＵＲＬに関連するコンテンツへのアクセスを制御するように、コンピュータ・プロセッサ上で実行される方法であって、
ユーザ採点ポリシを受け取るステップと、
ＵＲＬアクセス・ポリシを受け取るステップと、
第１のＵＲＬを含むＵＲＬ要求をユーザから受け取るステップと、
前記第１のＵＲＬをＵＲＬレピュテーション・サービスに送信するステップと、
前記第１のＵＲＬのＵＲＬスコアを、前記ＵＲＬレピュテーション・サービスから受け取るステップであって、前記ＵＲＬスコアは、前記ＵＲＬに関連するコンテンツが複数の分類を持ち、かつ更に相反する分類、前記ＵＲＬアクセス・ポリシで好ましく閲覧された前記関連するコンテンツに対する１つ以上の分類、前記ＵＲＬアクセス・ポリシで好ましくなく閲覧された前記関連するコンテンツに対する1つ以上の他の分類を含むことを示す、ステップと、
前記ユーザに対するユーザ・スコアにアクセスするステップであって、前記ユーザ・スコアは、前記ユーザの閲覧履歴に基づいて、前記ユーザの過去の閲覧の振舞いを纏める、ステップと、
前記ユーザ・スコアを前記ＵＲＬスコアと比較することによって、前記ユーザの過去の閲覧の振舞いに基づいて、前記第１のＵＲＬへのアクセスを制御するステップと、
を含むことを特徴とする方法。
【請求項２】
前記ユーザ・スコアを、
前記複数の分類のうち少なくとも一部に対して、前記ユーザ採点ポリシを適用することによって前記ユーザのユーザ分類スコアを更新するステップと、
前記ユーザ・スコアを複数の前記ユーザ分類スコアに基づいて更新するステップとによって計算することを特徴とする請求項１に記載の方法。
【請求項３】
前記ユーザ採点ポリシが前記複数の分類ごとの分類因子を含むステップと、
更新するユーザ分類スコアを決定するために、前記分類因子に前記ユーザ分類スコアの総和を加えるステップと、
をさらに含むことを特徴とする請求項２に記載の方法。
【請求項４】
前記ユーザ・スコアを、所定の期間ＵＲＬ要求の分析に基づいて決定することを特徴とする請求項３に記載の方法。
【請求項５】
前記所定の期間が２時間未満であることを特徴とする請求項４に記載の方法。
【請求項６】
前記ユーザ・スコアを継続的に更新することを特徴とする請求項３に記載の方法。
【請求項７】
前記ユーザ・スコアを、前記ユーザ採点ポリシを前記複数の分類の各々に適用することで前記ユーザ・スコアを更新することによって計算し、前記ユーザ採点ポリシが、前記複数の分類の各々がそれにより前記ユーザ・スコアを変更できる因子を含むことを特徴とする請求項１に記載の方法。
【請求項８】
前記ユーザ・スコアを指数加重移動平均計算により調整することを特徴とする請求項７に記載の方法。
【請求項９】
前記ＵＲＬアクセス・ポリシが、前記第１のＵＲＬに対する採点アルゴリズムを含むことを特徴とする請求項１に記載の方法。
【請求項１０】
前記ユーザの過去の閲覧の振舞いに基づいて、前記第１のＵＲＬへのアクセスを制御するステップは、
前記ユーザ・スコアから、前記第１のＵＲＬに関する前記ユーザの閲覧意図を推論するステップであって、前記推論された閲覧意図は：前記ＵＲＬアクセス・ポリシで好ましく閲覧された分類、又は前記ＵＲＬアクセス・ポリシで好ましくなく閲覧された他の分類、のうちの一つに興味を示している、ステップと；
前記推論された閲覧意図が前記ＵＲＬアクセス・ポリシで好ましく閲覧された前記分類に興味を示しているときに、前記第１のＵＲＬへのアクセスを許可すること、又は、前記推論された閲覧意図が前記ＵＲＬアクセス・ポリシで好ましくなく閲覧された前記他の分類に興味を示しているとき、前記第１のＵＲＬへのアクセスを禁止すること、の一つによって、前記第１のＵＲＬへのアクセスを制御するステップと、
を有する請求項１記載の方法。
【請求項１１】
プロセッサと；
システムメモリと；
ＵＲＬアクセス・ポリシ及びユーザ採点ポリシが格納された1つ以上のコンピュータ記憶装置と；
通信ストリームを介してＵＲＬ要求を特定するＵＲＬ検出機構と、
ＵＲＬレピュテーション・エンジンであって、
前記ＵＲＬ要求の少なくとも一部をＵＲＬレピュテーション・サービスに送信し、
前記ＵＲＬ要求に対する分類を受け取り、前記分類は、複数のクラスを含み、かつ更に相反するクラス、前記ＵＲＬアクセス・ポリシで好ましく閲覧された前記複数のクラスの少なくとも1つのクラス、前記ＵＲＬアクセスポリシで好ましくなく閲覧された前記複数のクラスの少なくとも１つの他のクラス、互いに相反する前記少なくとも１つのクラス及び前記少なくとも１つの他のクラスを含む、
ＵＲＬレピュテーション・エンジンと、
アクセスコントロールエンジンであって、前記アクセスコントロールエンジンは、
ユーザに対するユーザスコアにアクセスし、前記ユーザスコアは、前記ユーザの閲覧履歴に基づいて、前記ユーザの閲覧の振舞いを纏め、
前記分類と前記ユーザスコアとを比較することによって前記ユーザの閲覧の振舞いに基づいてＵＲＬへのアクセスを制御し、第１のアルゴリズムに基づく前記アクセスの制御は、前記ＵＲＬアクセス・ポリシに少なくとも部分的に定義される、
アクセスコントロールエンジンと、
前記分類をもとに前記ユーザ・スコアを更新するユーザ・スコア・エンジンであって、第２のアルゴリズムに基づく前記更新は、前記ユーザ採点ポリシで少なくとも部分的に定義される、ユーザ・スコア・エンジンと、
を備えることを特徴とするシステム。
【請求項１２】
前記ＵＲＬ検出機構がネットワーク接続を監視するサービスであることを特徴とする請求項１１に記載のシステム。
【請求項１３】
当該システムは、クライアント装置に配置されたことを特徴とする請求項１２に記載のシステム。
【請求項１４】
当該システムは、ローカル・エリア・ネットワーク内のサーバ装置に配置され、前記ＵＲＬ要求が前記ローカル・エリア・ネットワーク内のクライアント装置により生成されることを特徴とする請求項１２に記載のシステム。
【請求項１５】
コンピュータシステムにおいて、ＵＲＬに関連するコンテンツへのアクセスを制御するように、コンピュータ・プロセッサ上で実行される方法であって、
ユーザ採点ポリシを受け取るステップと、
ＵＲＬアクセス・ポリシを受け取るステップと、
ネットワーク接続を経由して第１のＵＲＬ要求を検出するステップであって、前記第１のＵＲＬ要求は第1のＵＲＬを含む、ステップと、
前記第１のＵＲＬ要求がユーザの動作によって生成されたと判定するステップと、
前記第１のＵＲＬをＵＲＬレピュテーション・サービスに送信するステップと、
前記第１のＵＲＬのＵＲＬスコアを、前記ＵＲＬレピュテーション・サービスから受け取るステップであって、前記ＵＲＬスコアは、前記ＵＲＬに関連するコンテンツが少なくとも1つの他の分類と相反する少なくとも１つの疑わしい分類を持ち、前記少なくとも１つの疑わしい分類は、前記ＵＲＬアクセス・ポリシで好ましく閲覧され、前記少なくとも１つの他の分類は、前記ＵＲＬアクセス・ポリシで好ましくなく閲覧されることを示す、ステップと、
前記ユーザに対するユーザ・スコアにアクセスするステップであって、前記ユーザ・スコアは、前記ユーザの閲覧履歴に基づいて、前記ユーザの過去の閲覧の振舞いを纏める、ステップと、
前記ユーザ・スコアを前記ＵＲＬスコアと比較することによって、前記ユーザの過去の閲覧の振舞いに基づいて、前記ＵＲＬアクセス・ポリシに従って、前記第１のＵＲＬへのアクセスを制御するステップと、
を含むことを特徴とする方法。